(57)【要約】【解決手段】  椅子１は、タブレット２と座部４を含んでいる。腕をタブレット２に載るように、使用者が座部に前向きに座ることができ、人が装置や書類を見ることができるように、タブレット２に装置又は書類を置くことができるように、タブレット２と座部４は構成される。人が座部４に後向きに座ると、背中がタブレットの下部２ｃに凭れるように、タブレット２と座部４は配置されている。【選択図】図１
2015508698.tif 000002
【特許請求の範囲】
【請求項１】
ベースと、
前記ベースによって支持される座部と、
前記ベースによって支持されており、前記座部の上方且つ前方に位置するタブレットと、
を備えており、
前記タブレットは、上側前端部と、下側後端部と、前記前端部と前記下側後端部との間にある湾曲部を有しており、
前記湾曲部は、前記下側後端部の近くから、前記タブレットの前部の近くの位置へと上向きに延びている、椅子。
【請求項２】
前記座部は、前端部と後端部を有しており、前記座部の後端部は、前記座部の前端部よりも下側にある、請求項１に記載の椅子。
【請求項３】
前記座部は、前記座部の後端部と前記座部の前端部の間にある湾曲部を有しており、前記座部の湾曲部は、前記座部の後端部から上向きに延びて、前記座部の湾曲面を規定する、請求項２に記載の椅子。
【請求項４】
前記タブレットの湾曲部は、前記タブレットの後端部から、前記タブレットの前部に延びて、前記タブレットの湾曲面を規定する、請求項３に記載の椅子。
【請求項５】
前記ベースは、少なくとも１つのそり部材からなる、請求項１に記載の椅子。
【請求項６】
前記ベースは、第１のそり部材と第２のそり部材からなり、前記第１及び第２のそり部材は、前記座部と前記タブレットの両方を支持する、請求項１に記載の椅子。
【請求項７】
前記第１のそり部材は、
前記タブレットと係合する又はそれに取り付けるためのタブレット支持部と、
前記タブレット支持部から延びる前側垂直部材と、
前記前側垂直部材から後側垂直部材へと延びる水平部材と、
前記後側垂直部材から延びており、前記座部の第１側部と係合する又は前記座部の第１側部に取り付けるための側方座部支持部と、
を備えており、
前記第２のそり部材は、
前記タブレットと係合する又はそれに取り付けるためのタブレット支持部と、
前記タブレット支持部から延びる前側垂直部材と、
前記前側垂直部材から後側垂直部材に延びる水平部材と、
前記後側垂直部材から延びており、前記座部の第２側部と係合する又は前記座部の第２側部に取り付けるための側方座部支持部と、
を備えており、
前記座部の第２側部は、前記座部の第１側部の反対側にある、請求項６に記載の椅子。
【請求項８】
前記第１及び前記第２のそり部材の水平部材及び前側垂直部材は、前記第１及び第２のそり部材の水平部材と前側垂直部材の間の空間を規定するように大きさを決められ、構成されており、前記空間は、胸が前記タブレットに向くように使用者が椅子に座ったときに、前記使用者の脚のための空間を提供するように大きさを決められ、構成されている、請求項７に記載の椅子。
【請求項９】
前記第１のそり部材の後側垂直部材は、前記座部の下側に配置され、前記第１のそり部材の水平部材には、前記座部の下側後端部の後方に延びる部分がなく、
前記第２のそり部材の前記後側垂直部材は、前記座部の下側に配置され、前記第２のそり部材の前記水平部材には、前記座部の下側後端部の後方に延びる部分がない、請求項８に記載の椅子。
【請求項１０】
椅子を準備する工程であって、前記椅子は、ベースと、前記ベースによって支持された座部と、前記ベースによって支持されており、前記座部の上方且つ前方に位置するタブレットとを備えており、
前記タブレットは、上側前端部と、下側後端部と、前記前端部と前記後端部との間にある湾曲部を有しており、
前記湾曲部は、前記下側後端部に隣接する位置から、前記タブレットの前部に隣接する位置へと上向きに延びている工程と、
着座した使用者の胸が、前記タブレットに向くように、第１の座位において、前記椅子の座部に座る工程と、
前記着座した使用者の背中が、前記タブレットの湾曲部と係合するように、第２の座位で前記椅子に座る工程と、
を含む、椅子の使用方法。
【請求項１１】
前記座部は、前端部と後端部を有しており、前記座部の後端部は、前記座部の前端部よりも下側にある、請求項１０に記載の方法。
【請求項１２】
前記座部は、前記座部の後端部と前記座部の前端部との間にある湾曲部を有しており、前記座部の湾曲部は、前記座部の後端部から上向きに延びて、座部の湾曲面を規定しており、使用者が前記第２の座位で座ると、前記使用者の脚の上部は、前記座部の湾曲面と係合する、請求項１１に記載の方法。
【請求項１３】
前記タブレットの湾曲部は、前記タブレットの後端部から前記タブレットの前端部へと延びて、前記タブレットの湾曲面を規定する、請求項１２に記載の方法。
【請求項１４】
前記ベースは、少なくとも１つのそり部材からなる、請求項１０に記載の方法。
【請求項１５】
前記ベースは、第１のそり部材と第２のそり部材とからなり、前記第１のそり部材と前記第２のそり部材は、前記座部と前記タブレットの両方を支持している、請求項１０に記載の方法。
【請求項１６】
前記第１のそり部材は、
前記タブレットと係合する又はそれに取り付けるためのタブレット支持部と、
前記タブレット支持部から延びる前側垂直部材と、
前記前側垂直部材から後側垂直部材へと延びる水平部材と、
前記後側垂直部材から延びており、前記座部の第１側部と係合する又は前記座部の第１側部に取り付けるための側方座部支持部と、
を備えており、
前記第２のそり部材は、
前記タブレットと係合する又はそれに取り付けるためのタブレット支持部と、
前記タブレット支持部から延びる前側垂直部材と、
前記前側垂直部材から後側垂直部材に延びる水平部材と、
前記後側垂直部材から延びており、前記座部の第２側部と係合する又は前記座部の第２側部に取り付けるための側方座部支持部と、
を備えており、
前記座部の第２側部は、前記座部の第１側部の反対側にある、請求項１５に記載の方法。
【請求項１７】
前記第１及び第２のそり部材の水平部材及び前側垂直部材は、前記第１及び第２のそり部材の水平部材と前記前側垂直部材との間で開口を規定するように大きさを決められ、構成されており、前記開口は、使用者が、胸が前記タブレットに向くように前記第１の座位で前記座部に座ると、前記使用者の脚のために空間を提供できるように大きさを決められ、構成されている、請求項１６に記載の方法。
【請求項１８】
前記第１のそり部材の後側垂直部材は、前記座部の下側に配置され、前記第１のそり部材の水平部材には、前記座部の下側後端部の後方に延びる部分がなく、
前記第２のそり部材の後側垂直部材は、前記座部の下側に配置され、前記第２のそり部材の水平部材には、前記座部の下側後端部の後方に延びる部分がない、請求項１７に記載の方法。
【請求項１９】
ベースと、
前記ベースによって支持されており、前端部と後端部を有する座部と、
前記ベースによって支持されており、前記座部の上方且つ前方に位置するタブレットと、
を備えており、
前記座部の後端部は、前記座部の前端部よりも下側にあり、前記座部はまた、前記座部の後端部と前記座部の前端部との間にある湾曲部を有しており、前記座部の湾曲部は、前記座部の後端部から上向きに延びて、前記座部の湾曲面を規定しており、
前記タブレットは、上側前端部と、下側後端部と、前記タブレットの前端部と前記タブレットの下側後端部との間にある湾曲部とを有しており、前記タブレットの湾曲部は、前記タブレットの下側後端部から前記タブレットの前部に隣接する位置まで延びて、前記タブレットの湾曲面を規定している、
椅子。
【請求項２０】
前記タブレットは、一体構造として成形又は形成されており、前記座部は、一体構造として成形又は形成されている、請求項１９に記載の椅子。
【発明の詳細な説明】
【技術分野】
【０００１】
[関連出願の相互参照]
本出願は、２０１３年２月２５日に出願された米国特許出願第１３／７７５，７６６号と、２０１２年２月２９日に出願された米国仮特許出願第６１／６０４，８１６号とについて優先権を主張する。
【０００２】
本発明は、椅子と椅子を使用する方法とに関する。
【背景技術】
【０００３】
椅子は、大抵の場合、座部を支持するベースを備えている。ベースは、幾つかの椅子のデザインにおいては、背凭れを支持することもある。背凭れは、リクライニングしてよい。この種の椅子のデザインの例が、米国特許第８，０２９，０６０号から理解できるであろう。
【０００４】
タブレットチェア(tablet chair)として形作られた椅子がある。この種の椅子は、大抵の場合、座部とタブレットの両方を支持するベースを備えている。タブレットは、座部の前方及び上方に支持される平坦な面であってよく、椅子の座部に座っている者は、タブレット上の書類を読むこと、タブレット上の装置を使用すること、タブレットで支えられた紙でメモを取ること、又は、タブレット上で他の作業を実行することができる。タブレットチェアのデザインの例は、米国特許第７，０５９，６７０号、第６，１０２，４７５号、第５，９３１，５２８号、第４，５２９，２４７号、第４，２０３，６２４号、第３，４６７，４３２号、第３，１５６，４９８号、第３，０２０，０８６号、第１，６９１，０５３号、第７１９，３３８号、第４１１，５５３号、第Ｄ５８９，７２５号、第Ｄ５０５，０２２号、第Ｄ１７０，３３１号、及び第Ｄ１７０，００５号、並びに、米国特許出願公開第２００３／０２３０９１４号から理解できるであろう。
【０００５】
一般的に、タブレットチェアのデザインでは、使用者は、異なる複数の座り方を選択することができない。例えば、このような椅子は、通常、机又は椅子のタブレットに向くように前向きに座ることを使用者に要求するように設計されている。しかしながら、そのような配置で長い間座っていることは、使用者にとっては、快適でなく、また望ましくないことがある。椅子が、異なる様々な設定で容易且つ無難に用いられて、共同作業、会議の参加又は他の作業のために異なる多くの組織的構成をとることができるように、使用者が複数のやり方で椅子に座ることができる新規な椅子のデザインが必要とされていると、我々は判断した。
【発明の概要】
【０００６】
椅子は、タブレットと座部とを含んでいる。使用者が座部に前向きに座って、腕をタブレット上に置き、装置、書類、又は他の物をタブレット上に置けるように、タブレットと座部が構成されてよい。これにより、使用者は、タブレットの面に置かれた装置又は書類を見ることができ、或いは、タブレットの面上で作業をすることができる。タブレットと座部はまた、使用者が座部に後向きに座って、下向きに突出したタブレットの下部に使用者の背中が凭れるように調節することができる。
【０００７】
幾つかの実施形態の椅子では、タブレットの下部は、タブレットの下向きの湾曲部分の直ぐ隣に位置してよい。当該湾曲部分は、使用者が後向きに座ると、使用者の背中を支持する上面として機能してよい。座部はまた、湾曲した下部を有してよく、当該下部は、使用者が後向きに座ると、使用者の脚の上部を支持する面を提供する。
【０００８】
椅子を使用する方法も開示される。当該方法は、使用者が椅子に前向きに座り、次に、座部上で回転して、後向きに座部に座ることを含む。これにより、使用者の背中は、タブレットの下部に凭れかかり、脚は、下向きに延びた座部に置かれる又はそれと係合する（engage）。
【０００９】
ある実施形態の椅子では、当該椅子は、ベースと、ベースによって支持される座部と、ベースによって支持されるタブレットとを含んでいる。タブレットは、座部の上方且つ前方に（例えば、座部の正面に）位置している。タブレットは、上側前端部と、下側後端部と、前端部と下側後端部の間にある湾曲部とを有する。タブレットの湾曲部は、下側後端部に隣接する位置から、タブレットの前部に隣接する位置まで上向きに延びてよい。
【００１０】
座部は、異なる多くの形態を取り得る。幾つかの実施形態では、座部は、前端部と、後端部とを有してよい。座部の後端部は、座部の前端部よりも下側にされてよい。座部は、座部の後端部と座部の前端部との間に湾曲部を有してよい。座部の湾曲部は、座部の後端部から上向きに延びて、座部の湾曲面を規定してよい。加えて、タブレットの湾曲部は、タブレットの後端部からタブレットの前部に延びて、タブレットの湾曲面を規定してよい。
【００１１】
椅子のベースは、異なる多くのデザイン又は配置を含んでよい。例えば、ベースは、少なくとも１つのそり部材を含んでよい。例えば、ベースは、第１のそり部材と、第２のそり部材とを含んでよい。第１と第２のそり部材は、座部及びタブレットの両方を支持してよい。第１のそり部材は、タブレットと係合する又はそれに取り付けるためのタブレット支持部と、タブレット支持部から延びる前側垂直部材と、前側垂直部材から後側垂直部材に延びる水平部材と、後側垂直部材から延びており、座部の第１側部と係合する又は座部の第１側部に取り付けるための側方座部支持部とを有してよい。第２のそり部材は、タブレットと係合する又はそれに取り付けるためのタブレット支持部と、タブレット支持部から延びる前側垂直部材と、前側垂直部材から後側垂直部材へ延びる水平部材と、後側垂直部材から延びており、座部の第２側部と係合する又は座部の第２側部に取り付けるための側方座部支持部とを備えており、座部の第２側部は、座部の第１側部の反対側に位置している。幾つかの実施形態の椅子では、第１及び第２のそり部材の水平部材及び前側垂直部材は、第１及び第２のそり部材の水平部材と前側垂直部材との間で空間を規定するように大きさを決められ、構成されてよい。その空間は、使用者の胸がタブレットに向くように使用者が座部に座ると、使用者の脚用の開口を提供するように大きさを決められ、構成されてよい。第１のそり部材の後側垂直部材は、座部の下側に配置されてよく、幾つかの実施形態の椅子では、第１のそり部材の水平部材には、座部の下側後端部の後側に延びる部分が無くてもよい。この種の実施形態においては、第２のそり部材の後側垂直部材は、座部の下側に配置されてよく、第２のそり部材の水平部材には、座部の下側後端部の後側に延びる部分が無くてもよい。
【００１２】
本発明の椅子のその他の実施形態では、椅子は、ベースと、ベースによって支持される座部と、ベースによって支持されるタブレットとを含んでよい。座部は、前端部と後端部を有している。後端部は、前端部よりも低い。座部は、後端部と前端部の間に湾曲部も有している。座部の湾曲部は、座席の後端部から上向きに延びて、座部の曲面を規定する。タブレットは、座部の上方且つ前方に位置しており、上側前端部と、下側後端部と、タブレットの前端部とタブレットの下側後端部との間にある湾曲部とを有している。タブレットの湾曲部は、タブレットの下側後端部から、タブレットの前部に隣接する位置へと上向きに延びて、タブレットの湾曲面を規定する。本発明の椅子の幾つかの実施形態では、タブレットは、一体構造として成形又は形成され、座部は、一体構造として成形又は形成される。
【００１３】
椅子を使用する方法も開示される。当該方法は、ベースと、ベースによって支持される座部と、ベースによって支持されるタブレットとを含む椅子を準備する工程を含んでいる。タブレットは、座部の上方且つ前方に位置してよく、タブレットは、上側前端部と、下側後端部と、その前端部と下側後端部の間にある湾曲部とを有してよい。タブレットの湾曲部は、下側後端部に隣接する位置からタブレットの前部に隣接する位置へと上向きに延びてよい。本発明の方法はまた、着座した使用者の胸がタブレットに向くように、第１の着座姿勢にて椅子の座部に座る工程と、着座した使用者の背中がタブレットの湾曲部と係合するように、第２の着座姿勢にて椅子に座る工程とを含んでよい。本発明の方法の実施形態は、当該方法を実施する際に、本発明の椅子の実施形態が用いられるように構成されていることが理解されるべきである。
【００１４】
本発明の他の詳細、目的、及び利点は、現時点で好ましい幾つかの実施形態と、同じ手順を行う、現時点で好ましい幾つかの方法とに関する以下の説明によって、明らかとなるであろう。
【図面の簡単な説明】
【００１５】
本発明の椅子の現時点で好ましい実施形態が、添付の図面に示されている。これらの図面で用いられた同じ符号は、同じ構成要素を特定していることが理解されるべきである。
【図１】図１は、現時点で好ましい第１の実施形態の椅子の斜視図である。
【図２】図２は、現時点で好ましい第１の実施形態の椅子の側面図である。
【図３】図３は、現時点で好ましい第１の実施形態の椅子の正面図である。
【図４】図４は、現時点で好ましい第１の実施形態の椅子の平面図である。
【図５】図５は、現時点で好ましい第１の実施形態の椅子の背面図である。
【図６】図６は、実施形態の椅子を用いた方法の一実施形態を図解するフローチャートである。
【発明を実施するための形態】
【００１６】
図１乃至図５を参照すると、椅子１は、ベース３によって支持されたタブレット２を含んでいる。ベース３は、タブレット２の下方且つ後方に配置された座部４も支持する。ベース３は、第１のそり部材５と第２のそり部材６とを含んでいる。これらのそり部材は、比較的堅い部材であって、床又は地面に載置されるように構成された細長の水平部材から垂直方向に延びる部分を有してよい。そり部材は、アルミニウム、鋼、又は他の種類の金属から作られてよい。そり部材は、木、又はプラスチック等の高分子材料から作られることも考えられる。
【００１７】
幾つかの実施形態では、そり部材５及びそり部材６は、溶接又は締結機構を用いて互いに連結された異なる管状セグメントを有する管状部材であってよい。締結機構としては、隣接したセグメントを直に結びつける嵌合ねじ(mating threads)や、ファスナ、ブラケット又は他の締結装置のような１又は複数の他のタイプの連結機構が用いられる。他の実施形態では、各そり部材又は両方のそり部材は、一体構造として形成されてよい。例えば、各そり部材は、所望の形状又は構造を有するように、一体構造として鋳造又は成形されてよく、或いは、これらのそり部材が、所望の形状又は構造を有するように鋳造又は成形されてよい。
【００１８】
第１のそり部材５は、第１の垂直延在部５ｂに連結された上側タブレット支持部５ａを含む。第１の垂直延在部５ｂは、地面又は床と当接して、座部４及びタブレット２を支持するように構成された水平延在部５ｃと連結している。第２の垂直延在部５ｄは、側方座部支持部５ｅと繋がっており、側方座部支持部５ｅは、座部４の第１側部に取り付けられる、又はそれと係合している。前方座部支持部５ｆもまた、側方座部支持部５ｅから延びて、座部４の下側前部に取り付けられる、又はそれと係合するように配置されてよい。
【００１９】
第２のそり部材６は、タブレット２を支持する第１部６ａを有している。第１垂直部６ｂは、第１部６ａから水平延在部６ｃへ延びている。水平延在部６ｃは、第２の垂直延在部６ｄにも繋がっている。第２の垂直延在部６ｄは、座部支持部６ｅに繋がっている。側方座部支持部６ｅは、座部の第１側部の反対側にある座席の第２側部に隣接している。側方座部支持部６ｅは、座部４の第２側部に取り付けられる、又はそれと係合する。前方座部支持部６ｆはまた、側方座部支持部６ｅから延びて、座部４の下側前部に取り付けられる、又はそれと係合してよい。前方座部支持部６ｆはまた、第１そり部材５の前方座部支持部５ｆに取り付けられる、又はそれと一体に形成されてもよい。
【００２０】
タブレット２は、作業面を規定しており、当該作業面は、前端部２ａから下側端部２ｂへと延びる前面を含んでいる。タブレット２の前部は、ほぼ平坦であってよく、又は、上向きに傾斜した平坦面であってよい。実施形態の椅子では、タブレットの前部が下向きに傾斜した表面を有するように構成されたタブレットが用いられてよいとも考えられる。
【００２１】
タブレットの湾曲部２ｃは、タブレット面の下側後端部２ｂと、上側前端部２ａとの間にある曲面を規定する。タブレット２の湾曲部２ｃは、下側後端部２ｂからカーブに沿って上向きに延びて、曲面を規定する。湾曲部２ｃが沿って延びるカーブは、垂直方向に対して角度θであることが好ましい。角度θは、０度から１５度の間にあることが好ましいが、例えば、１５度を越える他の角度とすることが可能であろう。湾曲部２ｃが、下側端部２ｂへ延びて湾曲した背中支持面を規定するように、湾曲部２ｃが曲げられることが好ましいことは、椅子１によってもたらされる後向き着座のオプションに関する更なる詳細な説明から明らかとなるであろう。
【００２２】
タブレット２は、ベース３によって支持される。例えば、タブレットの下面は、第１のそり部材５のタブレット支持部５ａと、第２のそり部材６のタブレット支持部６ａとに固定され、又は取り付けられてよい。例えば、少なくとも１つのブラケット又は他のコネクタが用いられて、そり部材のタブレット支持部にタブレットが取り付けられてよい。あるいは、タブレットを保持するために、そり部材は、タブレットの部分を受ける凹部を含んでいてよい。さらに、もう一つの選択として、タブレットは、第１のそり部材のタブレット支持部５ａと第２のそり部材のタブレット支持部６ａとに対して、接着又は溶接されてよい。このような連結手法の組合せは、第１のそり部材５と第２のそり部材６にタブレット２を取り付けるために利用されてもよい。
【００２３】
座部４は、前端部４ａを含んだ前部を含んでよい。座部４は、前端部４ａから下側後端部４ｄまで延びてよい。座部４の前部は、座面を規定しており、当該座面は、水平であり、また、上下に傾いていてもよい。例えば、座部の前部によって与えられる座面が、１度の上向きの傾斜（例えば、水平から１度上向き）又は１度の下向きの傾斜（例えば、水平から１度下向き）となるように、前部が配置されてよい。座部４の前部の上下の傾きの程度は、適切な多数の構成の何れかにされてよく、上向きに１０度と下向きに１０度との範囲にあることが好ましい。
【００２４】
座部４はまた、第１側部４ｂと、第１側部４ｂの反対側にある第２側部４ｃとを有している。座部の湾曲部４ｅは、下側後端部４ｄと前端部４ａの間にある。湾曲部４ｅは、下側端部４ｄから上向きに延びており、座部４の前部に隣接している。湾曲部４ｅは、この前部と一体にされてよく、座部の前部の直ぐ隣に位置してよい。
【００２５】
座部４の湾曲部４ｅは、湾曲面を規定しており、当該湾曲面は、胸がタブレット２から離れるように向くように又は背中がタブレット２の湾曲部２ｃに凭れるように、使用者が座った場合に、使用者の脚の一部、例えば、太ももを支持するように大きさを決められ、構成されてよい。従って、使用者の背中がタブレット２の湾曲部２ｃと係合する又はタブレット２に向くように、座部４に後向きに座ると、使用者の脚の一部は、湾曲部２ｃと係合してよい。
【００２６】
幾つかの実施形態では、胸がタブレット２に向いて、脚がタブレット２の下側に位置するように座った使用者を支持しないように、湾曲部４ｅが構成されてよい。そのような実施形態は、背中がタブレットに向く又はタブレットの湾曲部２ｃと係合する（例えば、湾曲部２ｃに凭れる、触れる、若しくはそれと接触する、又は湾曲部２ｃによって支持される）ように使用者が座る場合にのみ、座部４の湾曲部４ｅによって規定された湾曲面が、使用者の脚の裏面と係合する、又は使用者の脚の裏面に接触するように構成されてよい。
【００２７】
座部４は、ベース３によって支持される。第１のそり部材の座部支持部５ｅと第２のそり部材の座部支持部６ｅは、座部の下面と接触又は係合して、座部を支持してよい。あるいは、座部支持部５ｅと座部支持部６ｅは、ブラケット又は他の接続具を用いて座部４に取り付けられてよく、又は、座部４に溶接若しくは接着されてよい。前方座部支持部５ｆと前方座部支持部６ｆは、座部４の下面と係合してよく、又は、代わりに、接続具、溶接、接着剤、又は他の固定手段を用いて取り付けられて、座部４を支持してよい。当然のことながら、別の実施形態では、この種の連結手段が組み合されて、椅子のベース３のそり部材又は他の構成要素に座部４を取り付けるのに用いられてよい。
【００２８】
タブレット２の湾曲部と座部４の湾曲部とは、少なくとも２つの異なるやり方で、使用者が椅子１に座ることができるように構成されてよい。第１の着座姿勢又は座位では、脚がタブレット２の下側に位置し、胸がタブレット２に向くように、使用者は座ってよい。このような姿勢は、タブレットチェアに座る人の典型的な姿勢である。そり部材の垂直延在部５ｂ及び垂直延在部６ｂと、水平延在部５ｃ及び水平延在部６ｃとは、離間して、タブレットの下側且つ水平延在部５ｃと水平延在部６ｃの間にて、空間１２又は開口を規定するように形成及び構成されてよい。第１の座位である場合、使用者の足は、タブレットの下側にて規定されたこの空間１２に配置される。
【００２９】
椅子１はまた、使用者が楽々と回転して、別の姿勢で座れるように構成されている。第２の着座姿勢又は座位では、使用者の脚は、座部の後から延び、使用者の背中は、タブレット２に向いている。使用者の背中は、タブレット２の湾曲部２ｃと係合し又はそれに凭れてよく、使用者の太もも又は使用者の脚の上部も、座部の湾曲部４ｅによって支持されてよい。このようにして、タブレットの湾曲部２ｃは、背中の支えを使用者に提供し、第２の座位にある場合、座部は、使用者に快適な座面を提供するように構成されてよい。第２の座位では、一方の脚の上に他方の脚を容易に組むこと、足を蹴り上げること、又は、足又は下腿を用いてその他の自然な動きを座ってすることを、使用者は自由に行える。
【００３０】
使用者は、体をひねってよく、第１の着座姿勢から第２の着座姿勢へと又はその逆で移動することを、使用者は、立ち上がることなく行える（例えば、使用者は、座部を中心にしてひねって又は回転して、その姿勢を調整できる）。第１の着座姿勢から第２の着座姿勢への移動及びその逆の移動において、使用者は、座部の側部から外に出て、タブレットから離れるように脚を伸ばしてよい。座位又は着座姿勢を変える方法の更なる他の実施形態では、使用者が立ち上がって、その姿勢を調節してもよいことは明らかである。
【００３１】
異なる複数の座位は、アクティブに椅子で支持されるので、使用者は、気持ちよく、複数の姿勢で椅子を利用することができる。第１の座位は、教育現場又は指導現場における座り方として、好ましいと考えられる。使用者は、ノートを取る、又は、ラップトップ、インターネット機器、若しくは電子タブレットで作業することを希望し、又は、例えば、参照する必要がある１又は複数の本を参照する。ブレインストーミングセッションやデザイン共同ミーティング、又は、タブレットによって提供される作業面を必要としない打合せや会議などの共同作業現場における座り方としては、第２の着座姿勢が好ましいと考えられる。
【００３２】
湾曲部２ｃの前方にあるタブレット２の前部は、平坦にされてよく、使用者が第２の座位で座った場合に、バッグ、ブリーフケース、又は見る必要がない本をしまうのに前部が使用されてよい。このように、タブレットが作業面として使用されない場合でも、タブレットはなお、望ましい構造又は機能を提供できる。反対に、使用者が、第１の座位で椅子に座ると、タブレット２の前部はさらに、ラップトップ、又は本を支持し、ノートを取ることを支援し、又は、作業の能率を促進するその他の助けをする作業面を提供する。
【００３３】
本発明の椅子の実施形態では、多くの異なる機能を実施できることが理解されるであろう。例えば、座部４は、高分子材料からなる単一構造であってよく、又は、編物又は革カバーと堅い板の間に配置される発泡部材のような多数の相互接続要素を有する構造としてもよい。例えば、カバーは、編物又はメッシュ材料からできていてよく、それらは、堅い板に縫いつけられ、接着され、さもなくば、取り付けられて、発泡クッション等の発泡部材を取り囲んでもよい。タブレット２は、木、金属、複合材料、高分子材料又は他の材料からできていてよい。タブレット２は、相互接続部材から構成されてもよく、又は一体構造として形成されてもよい。例えば、タブレットは、積層面又は処理面を含んでいる木製部材であってよく、又は、タブレット２の前部が一体になるように湾曲部２ｃを含むように成形された高分子製のシート又は板でもよい。さらに、別の例として、ベース３の形状と構成は、座部４とタブレット２の両方をベースが支持できる特定のデザイン目的を満たすのに必要な、異なる多くの構成の何れでもよいことが理解されるであろう。
【００３４】
従って、現時点で好ましい幾つかの椅子と、椅子を作製し、使用する方法とが、本明細書において説明、図示されているが、本発明は、それらに限定されるものではなく、特許請求の範囲に記載の範囲内で、さまざまに実施され、実行されてよいことが、明確に理解されるであろう。
【図１】
2015508698.tif 000003
【図２】
2015508698.tif 000004
【図３】
2015508698.tif 000005
【図４】
2015508698.tif 000006
【図５】
2015508698.tif 000007
【図６】
2015508698.tif 000008
【国際調査報告】
2015508698.tif 000009
2015508698.tif 000010
2015508698.tif 000011